(57)【特許請求の範囲】
【請求項１】
それぞれ逆Ｔ字形に配置されて平行に相対向するものであって上端部に頭部を有する一対のＴバーと、中央側から両端にかけて高さが低くなる傾斜部が両端部の上面に形成されて前記Ｔバーの下端部のつば間に係載されたラインディフューザと、前記ラインディフューザの前記傾斜部の上側に被さる逆Ｕ字形であって中央部が前記傾斜部に係止し両端部に前記Ｔバーの前記頭部に係止する係止爪を有する取付具とを備え、前記取付具は平板をＵ字形に折曲し、前記取付具の前記中央部と前記両端部とのなす角度が前記傾斜部の傾斜角に等しい角度となるように前記中央部または前記両端部が傾斜しており、前記係止爪は前記両端部を折り返すことにより形成しているラインディフューザの取付構造。
【発明の詳細な説明】
【０００１】
【産業上の利用分野】
この発明は、ラインディフューザの取付構造および取付具に関するものである。
【０００２】
【従来の技術】
ラインディフューザは一般的な居住空間で空気調和を目的とする吹出口である。
このラインディフューザの取付構造の第１の従来例を図６に示す。すなわち、このラインディフューザの取付構造は、それぞれ逆Ｔ字形に配置されて平行に相対向するものであって上端部に頭部１ｃを有する一対のＴバー１と、中央側から両端にかけて高さが低くなる傾斜部が両端部の上面に形成されてＴバー１の下端部のつば１ａ間に係載されたラインディフューザ２と、このラインディフューザ２の両端部に固定具により取付けられてＴバー１の頭部１ｃの首側に係止する係止爪８ａを有するばね性の取付金具８とを備えている。１ｂは垂直部、１２はダクトの接続口である。
【０００３】
第２の従来例を図７に示す。すなわち、このラインディフューザの取付構造は、第１の従来例の取付金具８に代えて、ラインディフューザ２の両端部に取付けられてＴバー１の頭部１ｃに係載する第１の金具９と、Ｔバー１間に挿入し９０度水平回転すると頭部１ｃの首側に係止可能な第２の金具１０と、第１の金具９と第２の金具１０とを連結するねじ１１とを備え、ねじ１１の蝶ナットを締めつけることにより第２の金具１０を第１の金具９に接近して頭部１ｃを挟持することによりラインディフューザ２を固定する。
【０００４】
【発明が解決しようとする課題】
しかし、第１の従来例は、取付金具８の取付けが簡単であるが、ラインディフューザ２を移設する等の目的でＴバー１から取り外すときに取付金具８をドライバ等でこじる必要があり、非常に作業性が悪いという欠点があった。
第２の従来例は、ねじ締めのため確実な固定ができるが、取付け自体の作業性が悪いという欠点があった。
【０００５】
さらに、第１の従来例および第２の従来例ともに、Ｔバー１の高さや形状が違う場合に同一の構造では対応できず、汎用性が悪いという欠点があった。
したがって、この発明の目的は、Ｔバーの形状等の違いにかかわらずラインディフューザを取付けることができ、しかも取付け取外しが簡単なラインディフューザの取付構造を提供することである。
【０００６】
【課題を解決するための手段】
請求項１のラインディフューザの取付構造は、それぞれ逆Ｔ字形に配置されて平行に相対向するものであって上端部に頭部を有する一対のＴバーと、中央側から両端にかけて高さが低くなる傾斜部が両端部の上面に形成されて前記Ｔバーの下端部のつば間に係載されたラインディフューザと、前記ラインディフューザの前記傾斜部の上側に被さる逆Ｕ字形であって中央部が前記傾斜部に係止し両端部に前記Ｔバーの前記頭部に係止する係止爪を有する取付具とを備え、前記取付具は平板をＵ字形に折曲し、前記取付具の前記中央部と前記両端部とのなす角度が前記傾斜部の傾斜角に等しい角度となるように前記中央部または前記両端部が傾斜しており、前記係止爪は前記両端部を折り返すことにより形成しているものである。
【０００８】
【作用】
請求項１のラインディフューザの取付構造によれば、Ｔバー間にラインディフューザを係載し、取付具の係止爪を頭部の首側に係止しながら取付具の中央部をラインディフューザの傾斜部に摺動して係止する。一方、取付具を外すときは取付具を係止方向とは反対向きにＴバーに沿って取付具を移動することによりラインディフューザから外すことができる。したがって、ラインディフューザの取付け、取外しがほぼワンタッチで簡単にでき作業性がよいとともに、ラインディフューザの両端の傾斜部にスライドすることにより係止するので、Ｔバーの形状等が異なってもある程度の範囲で対応が可能となる。
さらに取付具は、平板をＵ字形に折曲し、その中央部または両端部が相互にラインディフューザの傾斜部の傾斜角に等しい角度をなして傾斜しており、係止爪は両端部を折り返すことにより形成しているため、中央部が傾斜部に沿った傾斜をもつのでラインディフューザの固定が確実にできるとともに、振動等で取付具がラインディフューザから容易に外れない。また取付具自体は簡単な構造のため加工が容易である。
【００１０】
【実施例】
この発明の第１の実施例を図１により説明する。すなわち、このラインディフューザの取付具を用いた取付構造は、一対のＴバー１と、ラインディフューザ２と、取付具３とを有する。
一対のＴバー１は、それぞれ逆Ｔ字形に配置されて平行に相対向するものであって上端部に頭部１ｃを有する。１ａはつば、１ｂは垂直部である。
【００１１】
ラインディフューザ２は、中央側から両端にかけて高さが低くなる傾斜部２ａが両端部の上面に形成されてＴバー１の下端部のつば１ａ間に係載されている。１２は接続口である。
取付具３は、中央部３ａがラインディフューザ２の傾斜部２ａに係止する逆Ｕ字形であって、その両端部にＴバー１の頭部１ｃの首側に係止する係止爪３ｂを有する。実施例の取付具３は金属製の平板をＵ字形に折曲したもので、両端が傾斜部２ａの傾斜角に等しい角度θ傾斜しており、係止爪３ｂはその両端を折り返すことにより形成している。したがって、係止爪３ｂが頭部１ｃに係止した状態で図１（ａ）のように取付具３の全体がそれぞれラインディフューザ２より外側に倒れるように傾斜がついている。また係止爪３ｂは頭部１ｃの内側の首側に係止している。
【００１２】
この実施例によれば、Ｔバー１間にラインディフューザ２を係載し、矢印Ａのように取付具３を挿入して取付具３の係止爪３ｂを頭部１ｃの首側に係止しながら、取付具３の中央部３ａをラインディフューザ２の傾斜部２ａに矢印Ｂのように摺動して係止する。一方、取付具３を外すときは取付具３を係止方向とは反対向きにＴバー１に沿って取付具３を移動することによりラインディフューザ２から外すことができる。
【００１３】
したがって、ラインディフューザ２の取付け、取外しがほぼワンタッチで簡単にでき作業性がよいとともに、ラインディフューザ２の両端の傾斜部２ａにスライドすることにより係止するので、Ｔバー１の形状等が異なってもある程度の範囲で対応が可能となる。また取付具３自体は簡単な構造のため加工が容易である。
【００１４】
また取付具３は平板をＵ字形に折曲したもので、両端が傾斜部２ａの傾斜角に等しい角度θ傾斜しており、係止爪３ｂは両端を折り返すことにより形成しているため、中央部３ａが傾斜部２ａに沿った傾斜をもつのでラインディフューザ２の固定が確実にできるとともに、振動等で取付具３がラインディフューザ２から容易に外れない。
【００１５】
この発明の第２の実施例を図２に示す。すなわち、このラインディフューザの取付構造は、第１の実施例において、取付具４の中央部４ａがラインディフューザ２の傾斜部２ａの傾斜角θに沿って傾斜し、係止爪４ｂは傾斜させないで両側部に直角に形成しており、頭部１ｃへの係止状態で取付具４の両側部は垂直に立ち上がっている。その他は、第１の実施例と同様である。
【００１６】
この発明の第３の実施例を図３に示す。すなわち、このラインディフューザの取付構造は、第２の実施例において、取付具５の中央部５ａの幅を大きくして係止爪５ｂをＴバー１の頭部１ｃの外側の首側に係止している。その他は、第１の実施例と同様である。
この発明の第４の実施例を図４に示す。すなわち、このラインディフューザの取付構造は、第３の実施例において、取付具６の中央部６ａの幅をラインディフューザ２の幅とほぼ等しく形成し、側部を広がるように傾斜させて係止爪６ｂをＴバー１の頭部１ｃの外側の首側に係止している。その他は、第１の実施例と同様である。
【００１７】
この発明の第５の実施例を図５に示す。すなわち、このラインディフューザの取付構造は、第３の実施例において、取付具７を板ばねにより形成し、その中央部７ａの両側の折曲部をわん曲して係止爪７ｂを頭部１ｃの外側の首に弾性係止している。この実施例によれば、係止爪７ｂの頭部１ｃへの弾性係止により、ラインディフューザ２をより一層確実に固定でき、振動等によるラインディフューザ２からの外れを防止することができる。その他は、第１の実施例と同様である。
【００１８】
【発明の効果】
請求項１のラインディフューザの取付構造によれば、Ｔバー間にラインディフューザを係載し、取付具の係止爪を頭部の首側に係止しながら取付具の中央部をラインディフューザの傾斜部に摺動して係止する。一方、取付具を外すときは取付具を係止方向とは反対向きにＴバーに沿って取付具を移動することによりラインディフューザから外すことができる。したがって、ラインディフューザの取付け、取外しがほぼワンタッチで簡単にでき作業性がよいとともに、ラインディフューザの両端の傾斜部にスライドすることにより係止するので、Ｔバーの形状等が異なってもある程度の範囲で対応が可能となる。
さらに取付具は、平板をＵ字形に折曲し、その中央部または両端部が相互にラインディフューザの傾斜部の傾斜角に等しい角度をなして傾斜しており、係止爪は両端部を折り返すことにより形成しているため、中央部が傾斜部に沿った傾斜をもつのでラインディフューザの固定が確実にできるとともに、振動等で取付具がラインディフューザから容易に外れない。また取付具自体は簡単な構造のため加工が容易である。
【図面の簡単な説明】
【図１】この発明の第１の実施例を示し、（ａ）は側面図、（ｂ）はその部分分解斜視図である。
【図２】第２の実施例における取付具を示し、（ａ）は正面図、（ｂ）は側面図である。
【図３】第３の実施例における取付具を示し、（ａ）は正面図、（ｂ）は側面図である。
【図４】第４の実施例における取付具を示し、（ａ）は正面図、（ｂ）は側面図である。
【図５】第５の実施例における取付具を示し、（ａ）は正面図、（ｂ）は側面図である。
【図６】第１の従来例を示し、（ａ）はラインディフューザの取付前の側面図、（ｂ）はその部分分解斜視図である。
【図７】第２の従来例の部分分解斜視図である。
【符号の説明】
１    Ｔバー
１ｃ    頭部
２    ラインディフューザ
２ａ    傾斜部
３    取付具
３ａ    中央部
３ｂ    係止爪
【図１】
0003632215.tif 000002
【図２】
0003632215.tif 000003
【図３】
0003632215.tif 000004
【図４】
0003632215.tif 000005
【図５】
0003632215.tif 000006
【図６】
0003632215.tif 000007
【図７】
0003632215.tif 000008